(57)【要約】  本願の実施例はリソース割り当て用の方法、ネットワーク装置及び通信装置に関する。該方法は、第１端末装置のサービス品質（ＱｏＳ）属性を決定することと、該ＱｏＳ属性に基づいて、該第１端末装置に伝送リソースを割り当て、該伝送リソースは該第１端末装置が第２端末装置にデータを送信することに用いられることと、を含む。本願の実施例のリソース割り当て用の方法、ネットワーク装置及び通信装置では、ネットワーク装置は端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
2021501486.tif 000002
【特許請求の範囲】
【請求項１】
第１端末装置のサービス品質（ＱｏＳ）属性を決定することと、
前記ＱｏＳ属性に基づいて、前記第１端末装置に伝送リソースを割り当て、前記伝送リソースは前記第１端末装置が第２端末装置にデータを送信することに用いられることと、を含むことを特徴とするリソース割り当て用の方法。
【請求項２】
前記ＱｏＳ属性は前記第１端末装置のデータ伝送速度及び／又は信頼性要件を含むことを特徴とする請求項１に記載の方法。
【請求項３】
前記第１端末装置のサービス品質（ＱｏＳ）属性を決定することは、
前記第１端末装置又はコアネットワークのネットワーク要素から送信されたＱｏＳ属性情報を受信することと、
前記ＱｏＳ属性情報に基づいて、前記第１端末装置の前記ＱｏＳ属性を決定することと、を含むことを特徴とする請求項１又は２に記載の方法。
【請求項４】
前記ＱｏＳ属性情報は前記第１端末装置のデータ伝送速度及び／又はパケットロス率を含むことを特徴とする請求項３に記載の方法。
【請求項５】
前記ＱｏＳ属性情報はターゲットインデックスを含み、
前記ＱｏＳ属性情報に基づいて、前記第１端末装置の前記ＱｏＳ属性を決定することは、
異なるＱｏＳ属性と異なるインデックスとの間の対応関係に基づいて、前記ターゲットインデックスに対応するＱｏＳ属性が前記第１端末装置の前記ＱｏＳ属性であることを決定することを含むことを特徴とする請求項３に記載の方法。
【請求項６】
前記異なるＱｏＳ属性と異なるインデックスとの間の対応関係は、異なるデータ伝送速度及び信頼性要件と異なるインデックスとの間の対応関係であり、
前記異なるＱｏＳ属性と異なるインデックスとの間の対応関係に基づいて、前記ターゲットインデックスに対応するＱｏＳ属性が前記第１端末装置の前記ＱｏＳ属性であることを決定することは、
前記異なるデータ伝送速度及びパケットロス率と異なるインデックスとの間の対応関係に基づいて、前記ターゲットインデックスに対応するデータ伝送速度及びパケットロス率が前記第１端末装置の前記ＱｏＳ属性であることを決定することを含むことを特徴とする請求項５に記載の方法。
【請求項７】
前記ＱｏＳ属性情報は最大値、最小値及び区間値のうちの少なくとも１つを含み、
前記最大値は前記第１端末装置のデータ伝送速度及び／又は信頼性要件の最大値であり、前記最小値は前記第１端末装置のデータ伝送速度及び／又は信頼性要件の最小値であり、前記区間値は前記第１端末装置のデータ伝送速度及び／又は信頼性要件の値の範囲であることを特徴とする請求項３に記載の方法。
【請求項８】
前記ＱｏＳ属性情報は最大値、最小値及び区間値のうちの少なくとも１つを含み、
前記最大値はターゲットサービスのデータ伝送速度及び／又は信頼性要件の最大値であり、前記最小値は前記ターゲットサービスのデータ伝送速度及び／又は信頼性要件の最小値であり、前記区間値は前記ターゲットサービスのデータ伝送速度及び／又は信頼性要件の値の範囲であり、前記ターゲットサービスは前記第１端末装置と前記第２端末装置との間に前記伝送リソースで伝送されるサービスであることを特徴とする請求項３に記載の方法。
【請求項９】
前記第１端末装置又はコアネットワークのネットワーク要素から送信されたＱｏＳ属性情報を受信する前に、前記方法は更に、
前記第１端末装置又は前記コアネットワークのネットワーク要素にプリセット値を送信することを含み、
前記ＱｏＳ属性情報は前記第１端末装置のデータ伝送速度及び／又は信頼性要件と前記プリセット値との大きさ関係を指示することに用いられ、前記大きさ関係は、前記第１端末装置のデータ伝送速度及び／又は信頼性要件が前記プリセット値より大きいこと、前記第１端末装置のデータ伝送速度及び／又は信頼性要件が前記プリセット値より小さいこと、前記第１端末装置のデータ伝送速度及び／又は信頼性要件が前記プリセット値以上であること、及び前記第１端末装置のデータ伝送速度及び／又は信頼性要件が前記プリセット値以下であることのうちの１つであることを特徴とする請求項３に記載の方法。
【請求項１０】
前記第１端末装置又はコアネットワークのネットワーク要素から送信されたＱｏＳ属性情報を受信する前に、前記方法は更に、
前記第１端末装置又は前記コアネットワークのネットワーク要素にプリセット値を送信することを含み、
前記ＱｏＳ属性情報はターゲットサービスのデータ伝送速度及び／又は信頼性要件と前記プリセット値との大きさ関係を指示することに用いられ、前記大きさ関係は、前記ターゲットサービスのデータ伝送速度及び／又は信頼性要件が前記プリセット値より大きいこと、前記ターゲットサービスのデータ伝送速度及び／又は信頼性要件が前記プリセット値より小さいこと、前記ターゲットサービスのデータ伝送速度及び／又は信頼性要件が前記プリセット値以上であること、及び前記ターゲットサービスのデータ伝送速度及び／又は信頼性要件が前記プリセット値以下であることのうちの１つであり、前記ターゲットサービスは前記第１端末装置と前記第２端末装置との間に前記伝送リソースで伝送されるサービスであることを特徴とする請求項３に記載の方法。
【請求項１１】
第１端末装置のサービス品質（ＱｏＳ）属性を指示するためのサービス品質（ＱｏＳ）属性情報を決定することと、
ネットワーク装置に前記ＱｏＳ属性情報を送信し、前記ＱｏＳ属性情報は前記ネットワーク装置が前記第１端末装置に伝送リソースを割り当てることに用いられ、前記伝送リソースは前記第１端末装置が第２端末装置にデータを送信することに用いられることと、を含むことを特徴とするリソース割り当て用の方法。
【請求項１２】
前記ＱｏＳ属性は前記第１端末装置のデータ伝送速度及び／又は信頼性要件を含むことを特徴とする請求項１１に記載の方法。
【請求項１３】
前記ＱｏＳ属性情報は前記第１端末装置のデータ伝送速度及び／又はパケットロス率を含むことを特徴とする請求項１２に記載の方法。
【請求項１４】
前記ＱｏＳ属性情報は前記第１端末装置の前記ＱｏＳ属性に対応するターゲットインデックスを含むことを特徴とする請求項１２に記載の方法。
【請求項１５】
前記ＱｏＳ属性情報は最大値、最小値及び区間値のうちの少なくとも１つを含み、
前記最大値は前記第１端末装置のデータ伝送速度及び／又は信頼性要件の最大値であり、前記最小値は前記第１端末装置のデータ伝送速度及び／又は信頼性要件の最小値であり、前記区間値は前記第１端末装置のデータ伝送速度及び／又は信頼性要件の値の範囲であることを特徴とする請求項１２に記載の方法。
【請求項１６】
前記ＱｏＳ属性情報は最大値、最小値及び区間値のうちの少なくとも１つを含み、
前記最大値はターゲットサービスのデータ伝送速度及び／又は信頼性要件の最大値であり、前記最小値は前記ターゲットサービスのデータ伝送速度及び／又は信頼性要件の最小値であり、前記区間値は前記ターゲットサービスのデータ伝送速度及び／又は信頼性要件の値の範囲であり、前記ターゲットサービスは前記第１端末装置と前記第２端末装置との間に前記伝送リソースで伝送されるサービスであることを特徴とする請求項１２に記載の方法。
【請求項１７】
前記ネットワーク装置に前記ＱｏＳ属性情報を送信する前に、前記方法は更に、
前記ネットワーク装置から送信されたプリセット値を受信することを含み、
前記ＱｏＳ属性情報は前記第１端末装置のデータ伝送速度及び／又は信頼性要件と前記プリセット値との大きさ関係を指示することに用いられ、前記大きさ関係は、前記第１端末装置のデータ伝送速度及び／又は信頼性要件が前記プリセット値より大きいこと、前記第１端末装置のデータ伝送速度及び／又は信頼性要件が前記プリセット値より小さいこと、前記第１端末装置のデータ伝送速度及び／又は信頼性要件が前記プリセット値以上であること、及び前記第１端末装置のデータ伝送速度及び／又は信頼性要件が前記プリセット値以下であることのうちの１つであることを特徴とする請求項１２に記載の方法。
【請求項１８】
前記ネットワーク装置に前記ＱｏＳ属性情報を送信する前に、前記方法は更に、
前記ネットワーク装置から送信されたプリセット値を受信することを含み、
前記ＱｏＳ属性情報は前記ターゲットサービスのデータ伝送速度及び／又は信頼性要件と前記プリセット値との大きさ関係を指示することに用いられ、前記大きさ関係は、前記ターゲットサービスのデータ伝送速度及び／又は信頼性要件が前記プリセット値より大きいこと、前記ターゲットサービスのデータ伝送速度及び／又は信頼性要件が前記プリセット値より小さいこと、前記ターゲットサービスのデータ伝送速度及び／又は信頼性要件が前記プリセット値以上であること、及び前記ターゲットサービスのデータ伝送速度及び／又は信頼性要件が前記プリセット値以下であることのうちの１つであり、前記ターゲットサービスは前記第１端末装置と前記第２端末装置との間に前記伝送リソースで伝送されるサービスであることを特徴とする請求項１２に記載の方法。
【請求項１９】
前記方法はコアネットワークのネットワーク要素又は前記第１端末装置で実行されることを特徴とする請求項１１〜１８のいずれか１項に記載の方法。
【請求項２０】
第１端末装置のサービス品質（ＱｏＳ）属性を決定することに用いられる決定ユニットと、
前記ＱｏＳ属性に基づいて、前記第１端末装置に伝送リソースを割り当てることに用いられ、前記伝送リソースは前記第１端末装置が第２端末装置にデータを送信することに用いられる処理ユニットと、を備えることを特徴とするネットワーク装置。
【請求項２１】
前記ＱｏＳ属性は前記第１端末装置のデータ伝送速度及び／又は信頼性要件を含むことを特徴とする請求項２０に記載のネットワーク装置。
【請求項２２】
前記第１端末装置又はコアネットワークのネットワーク要素から送信されたＱｏＳ属性情報を受信することに用いられる受信ユニットを更に備え、
前記決定ユニットは具体的に、
前記ＱｏＳ属性情報に基づいて、前記第１端末装置の前記ＱｏＳ属性を決定することに用いられることを特徴とする請求項２０又は２１に記載のネットワーク装置。
【請求項２３】
前記ＱｏＳ属性情報は前記第１端末装置のデータ伝送速度及び／又はパケットロス率を含むことを特徴とする請求項２２に記載のネットワーク装置。
【請求項２４】
前記ＱｏＳ属性情報はターゲットインデックスを含み、
前記決定ユニットは具体的に、
異なるＱｏＳ属性と異なるインデックスとの間の対応関係に基づいて、前記ターゲットインデックスに対応するＱｏＳ属性が前記第１端末装置の前記ＱｏＳ属性であることを決定することに用いられることを特徴とする請求項２２に記載のネットワーク装置。
【請求項２５】
前記異なるＱｏＳ属性と異なるインデックスとの間の対応関係は異なるデータ伝送速度及び信頼性要件と異なるインデックスとの間の対応関係であり、
前記決定ユニットは具体的に、
前記異なるデータ伝送速度及びパケットロス率と異なるインデックスとの間の対応関係に基づいて、前記ターゲットインデックスに対応するデータ伝送速度及びパケットロス率が前記第１端末装置の前記ＱｏＳ属性であることを決定することに用いられることを特徴とする請求項２４に記載のネットワーク装置。
【請求項２６】
前記ＱｏＳ属性情報は最大値、最小値及び区間値のうちの少なくとも１つを含み、
前記最大値は前記第１端末装置のデータ伝送速度及び／又は信頼性要件の最大値であり、前記最小値は前記第１端末装置のデータ伝送速度及び／又は信頼性要件の最小値であり、前記区間値は前記第１端末装置のデータ伝送速度及び／又は信頼性要件の値の範囲であることを特徴とする請求項２２に記載のネットワーク装置。
【請求項２７】
前記ＱｏＳ属性情報は最大値、最小値及び区間値のうちの少なくとも１つを含み、
前記最大値はターゲットサービスのデータ伝送速度及び／又は信頼性要件の最大値であり、前記最小値は前記ターゲットサービスのデータ伝送速度及び／又は信頼性要件の最小値であり、前記区間値は前記ターゲットサービスのデータ伝送速度及び／又は信頼性要件の値の範囲であり、前記ターゲットサービスは前記第１端末装置と前記第２端末装置との間に前記伝送リソースで伝送されるサービスであることを特徴とする請求項２２に記載のネットワーク装置。
【請求項２８】
前記ネットワーク装置は更に、
前記受信ユニットが前記第１端末装置又はコアネットワークのネットワーク要素から送信されたＱｏＳ属性情報を受信する前に、前記第１端末装置又は前記コアネットワークのネットワーク要素にプリセット値を送信することに用いられる送信ユニットを備え、
前記ＱｏＳ属性情報は前記第１端末装置のデータ伝送速度及び／又は信頼性要件と前記プリセット値との大きさ関係を指示することに用いられ、前記大きさ関係は、前記第１端末装置のデータ伝送速度及び／又は信頼性要件が前記プリセット値より大きいこと、前記第１端末装置のデータ伝送速度及び／又は信頼性要件が前記プリセット値より小さいこと、前記第１端末装置のデータ伝送速度及び／又は信頼性要件が前記プリセット値以上であること、及び前記第１端末装置のデータ伝送速度及び／又は信頼性要件が前記プリセット値以下であることのうちの１つであることを特徴とする請求項２２に記載のネットワーク装置。
【請求項２９】
前記ネットワーク装置は更に、
前記受信ユニットが前記第１端末装置又はコアネットワークのネットワーク要素から送信されたＱｏＳ属性情報を受信する前に、前記第１端末装置又は前記コアネットワークのネットワーク要素にプリセット値を送信することに用いられる送信ユニットを備え、
前記ＱｏＳ属性情報はターゲットサービスのデータ伝送速度及び／又は信頼性要件と前記プリセット値との大きさ関係を指示することに用いられ、前記大きさ関係は、前記ターゲットサービスのデータ伝送速度及び／又は信頼性要件が前記プリセット値より大きいこと、前記ターゲットサービスのデータ伝送速度及び／又は信頼性要件が前記プリセット値より小さいこと、前記ターゲットサービスのデータ伝送速度及び／又は信頼性要件が前記プリセット値以上であること、及び前記ターゲットサービスのデータ伝送速度及び／又は信頼性要件が前記プリセット値以下であることのうちの１つであり、前記ターゲットサービスは前記第１端末装置と前記第２端末装置との間に前記伝送リソースで伝送されるサービスであることを特徴とする請求項２２に記載のネットワーク装置。
【請求項３０】
第１端末装置のサービス品質（ＱｏＳ）属性を指示するためのサービス品質（ＱｏＳ）属性情報を決定することに用いられる決定ユニットと、
ネットワーク装置に前記ＱｏＳ属性情報を送信することに用いられ、前記ＱｏＳ属性情報は前記ネットワーク装置が前記第１端末装置に伝送リソースを割り当てることに用いられ、前記伝送リソースは前記第１端末装置が第２端末装置にデータを送信することに用いられる送信ユニットと、を備えることを特徴とする通信装置。
【請求項３１】
前記ＱｏＳ属性は前記第１端末装置のデータ伝送速度及び／又は信頼性要件を含むことを特徴とする請求項３０に記載の通信装置。
【請求項３２】
前記ＱｏＳ属性情報は前記第１端末装置のデータ伝送速度及び／又はパケットロス率を含むことを特徴とする請求項３１に記載の通信装置。
【請求項３３】
前記ＱｏＳ属性情報は前記第１端末装置の前記ＱｏＳ属性に対応するターゲットインデックスを含むことを特徴とする請求項３１に記載の通信装置。
【請求項３４】
前記ＱｏＳ属性情報は最大値、最小値及び区間値のうちの少なくとも１つ、
前記最大値は前記第１端末装置のデータ伝送速度及び／又は信頼性要件の最大値であり、前記最小値は前記第１端末装置のデータ伝送速度及び／又は信頼性要件の最小値であり、前記区間値は前記第１端末装置のデータ伝送速度及び／又は信頼性要件の値の範囲であることを特徴とする請求項３１に記載の通信装置。
【請求項３５】
前記ＱｏＳ属性情報は最大値、最小値及び区間値のうちの少なくとも１つを含み、
前記最大値はターゲットサービスのデータ伝送速度及び／又は信頼性要件の最大値であり、前記最小値は前記ターゲットサービスのデータ伝送速度及び／又は信頼性要件の最小値であり、前記区間値は前記ターゲットサービスのデータ伝送速度及び／又は信頼性要件の値の範囲であり、前記ターゲットサービスは前記第１端末装置と前記第２端末装置との間に前記伝送リソースで伝送されるサービスであることを特徴とする請求項３１に記載の通信装置。
【請求項３６】
前記通信装置は更に、
前記送信ユニットがネットワーク装置に前記ＱｏＳ属性情報を送信する前に、前記ネットワーク装置から送信されたプリセット値を受信することに用いられる受信ユニットを備え、
前記ＱｏＳ属性情報は前記第１端末装置のデータ伝送速度及び／又は信頼性要件と前記プリセット値との大きさ関係を指示することに用いられ、前記大きさ関係は、前記第１端末装置のデータ伝送速度及び／又は信頼性要件が前記プリセット値より大きいこと、前記第１端末装置のデータ伝送速度及び／又は信頼性要件が前記プリセット値より小さいこと、前記第１端末装置のデータ伝送速度及び／又は信頼性要件が前記プリセット値以上であること、及び前記第１端末装置のデータ伝送速度及び／又は信頼性要件が前記プリセット値以下であることのうちの１つであることを特徴とする請求項３１に記載の通信装置。
【請求項３７】
前記通信装置は更に、
前記送信ユニットがネットワーク装置に前記ＱｏＳ属性情報を送信する前に、前記ネットワーク装置から送信されたプリセット値を受信することに用いられる受信ユニットを備え、
前記ＱｏＳ属性情報は前記ターゲットサービスのデータ伝送速度及び／又は信頼性要件と前記プリセット値との大きさ関係を指示することに用いられ、前記大きさ関係は、前記ターゲットサービスのデータ伝送速度及び／又は信頼性要件が前記プリセット値より大きいこと、前記ターゲットサービスのデータ伝送速度及び／又は信頼性要件が前記プリセット値より小さいこと、前記ターゲットサービスのデータ伝送速度及び／又は信頼性要件が前記プリセット値以上であること、及び前記ターゲットサービスのデータ伝送速度及び／又は信頼性要件が前記プリセット値以下であることのうちの１つであり、前記ターゲットサービスは前記第１端末装置と前記第２端末装置との間に前記伝送リソースで伝送されるサービスであることを特徴とする請求項３１に記載の通信装置。
【請求項３８】
前記通信装置はコアネットワークのネットワーク要素又は前記第１端末装置であることを特徴とする請求項３０〜３７のいずれか１項に記載の通信装置。
【発明の詳細な説明】
【関連出願の参照】
【０００１】
本願は、２０１７年９月２８日に中国特許庁に出願された出願番号がＰＣＴ／ＣＮ２０１７／１０４０１８であり、出願名称が「リソース割り当て用の方法、ネットワーク装置及び通信装置」であるＰＣＴ特許出願の優先権を主張し、その内容の全体が援用により本願に結合される。
【技術分野】
【０００２】
本願は通信分野に関し、特にリソース割り当て用の方法、ネットワーク装置及び通信装置に関する。
【背景技術】
【０００３】
クルマのインターネットシステムはロングタームエボリューション（ＬＴＥ、ｌｏｎｇ  ｔｅｒｍ  ｅｖｏｌｕｔｉｏｎ）装置対装置通信（Ｄ２Ｄ、ｄｅｖｉｃｅ−ｔｏ−ｄｅｖｉｃｅ  ｃｏｍｍｕｎｉｃａｔｉｏｎ）に基づくサイドリンク（ＳＬ、Ｓｉｄｅｌｉｎｋ）伝送技術であり、従来のＬＴＥシステムにおいて通信データが基地局によって受信又は送信する方式と異なリ、クルマのインターネットシステムは端末装置対端末装置の直接通信の方式を用いるため、より高い周波数スペクトル効率及びより低い伝送遅延を有する。
【０００４】
第３世代移動体通信システムの標準化プロジェクト（３ＧＰＰ、３ｒｄ  Ｇｅｎｅｒａｔｉｏｎ  Ｐａｒｔｎｅｒｓｈｉｐ  Ｐｒｏｊｅｃｔ）のバージョンＲｅｌ−１４においてクルマのインターネット技術（Ｖ２Ｘ）を標準化し、モード３及びモード４の２つの伝送モードを定義する。モード３については、車載端末の伝送リソースが基地局によって割り当てられ、車載端末は基地局によって割り当てられたリソースに基づいてサイドリンクにおいてデータの送信を行い、基地局は端末に一回伝送のリソースを割り当てることができ、端末に半静的伝送のリソースを割り当てることもできる。モード４については、車載端末がセンシング（ｓｅｎｓｉｎｇ）及び予約（ｒｅｓｅｒｖａｔｉｏｎ）の伝送方式を用い、車載端末はリソースプールからセンシングの方式によって利用可能な伝送リソースセットを取得し、次に、該セットから１つのリソースをランダムに選択してデータの伝送を行う。クルマのインターネットシステムにおけるサービスが周期的特徴を有するため、車載端末は一般的に半静的伝送の方式を用い、即ち端末が１つの伝送リソースを選択した後、複数の伝送サイクルにおいて該リソースを使い続け、それによりリソース再選択及びリソース衝突の確率を低下させる。
【０００５】
また、端末装置はキャリアアグリゲーション（ＣＡ、Ｃａｒｒｉｅｒ  Ａｇｇｒｅｇａｔｉｏｎ）の方式によってデータ伝送を行うことができるが、端末装置がキャリアリソースを濫用することを防止するために、端末装置のキャリア選択動作を適当に制限する必要がある。しかしながら、モード３に対して、ネットワーク装置はこのような制限を実現できない。
【発明の概要】
【発明が解決しようとする課題】
【０００６】
本願はリソース利用率を高めることができるリソース割り当て用の方法、ネットワーク装置及び通信装置を提供する。
【課題を解決するための手段】
【０００７】
第一態様では、リソース割り当て用の方法を提供し、該方法は、第１端末装置のサービス品質（Ｑｕａｌｉｔｙ  ｏｆ  Ｓｅｒｖｉｃｅ、ＱｏＳ）属性を決定することと、該ＱｏＳ属性に基づいて、該第１端末装置に伝送リソースを割り当て、該伝送リソースは該第１端末装置が第２端末装置にデータを送信することに用いられることと、を含む。
【０００８】
従って、本願の実施例のリソース割り当て用の方法では、ネットワーク装置は端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
【０００９】
第一態様に関連して、第一態様の１つの実現方式では、該ＱｏＳ属性は該第１端末装置のデータ伝送速度及び／又は信頼性要件を含む。
【００１０】
理解されるように、該第１端末装置のデータ伝送速度及び／又は信頼性要件とは具体的に該第１端末装置のターゲットサービスのデータ伝送速度及び／又は信頼性要件を指してもよく、該ターゲットサービスは第１端末装置及び第２端末装置が伝送リソースで伝送するサービスである。
【００１１】
第一態様及びその上記実現方式に関連して、第一態様の別の実現方式では、該第１端末装置のＱｏＳ属性を決定することは、該第１端末装置又はコアネットワークのネットワーク要素から送信されたＱｏＳ属性情報を受信することと、該ＱｏＳ属性情報に基づいて、該第１端末装置の該ＱｏＳ属性を決定することと、を含む。
【００１２】
第一態様及びその上記実現方式に関連して、第一態様の別の実現方式では、該ＱｏＳ属性情報は該第１端末装置のデータ伝送速度及び／又はパケットロス率を含む。
【００１３】
理解されるように、該ＱｏＳ属性情報は具体的に該ターゲットサービスのデータ伝送速度及び／又はパケットロス率を含んでもよい。
【００１４】
第一態様及びその上記実現方式に関連して、第一態様の別の実現方式では、該ＱｏＳ属性情報はターゲットインデックスを含み、該ＱｏＳ属性情報に基づいて、該第１端末装置の該ＱｏＳ属性を決定することは、異なるＱｏＳ属性と異なるインデックスとの間の対応関係に基づいて、該ターゲットインデックスに対応するＱｏＳ属性が該第１端末装置の該ＱｏＳ属性であることを決定することを含む。
【００１５】
第一態様及びその上記実現方式に関連して、第一態様の別の実現方式では、該異なるＱｏＳ属性と異なるインデックスとの間の対応関係は、異なるデータ伝送速度及び信頼性要件と異なるインデックスとの間の対応関係である。該異なるＱｏＳ属性と異なるインデックスとの間の対応関係に基づいて、該ターゲットインデックスに対応するＱｏＳ属性が該第１端末装置の該ＱｏＳ属性であることを決定することは、該異なるデータ伝送速度及びパケットロス率と異なるインデックスとの間の対応関係に基づいて、該ターゲットインデックスに対応するデータ伝送速度及びパケットロス率が該第１端末装置の該ＱｏＳ属性であることを決定することを含む。
【００１６】
第一態様及びその上記実現方式に関連して、第一態様の別の実現方式では、該ＱｏＳ属性情報は最大値、最小値及び区間値のうちの少なくとも１つを含み、該最大値は該第１端末装置のデータ伝送速度及び／又は信頼性要件の最大値であり、該最小値は該第１端末装置のデータ伝送速度及び／又は信頼性要件の最小値であり、該区間値は該第１端末装置のデータ伝送速度及び／又は信頼性要件の値の範囲である。
【００１７】
第一態様及びその上記実現方式に関連して、第一態様の別の実現方式では、該ＱｏＳ属性情報は最大値、最小値及び区間値のうちの少なくとも１つを含み、該最大値はターゲットサービスのデータ伝送速度及び／又は信頼性要件の最大値であり、該最小値は該ターゲットサービスのデータ伝送速度及び／又は信頼性要件の最小値であり、該区間値は該ターゲットサービスのデータ伝送速度及び／又は信頼性要件の値の範囲であり、該ターゲットサービスは該第１端末装置と該第２端末装置との間に該伝送リソースで伝送されるサービスである。
【００１８】
第一態様及びその上記実現方式に関連して、第一態様の別の実現方式では、該第１端末装置又はコアネットワークのネットワーク要素から送信されたＱｏＳ属性情報を受信する前に、該方法は更に、該第１端末装置又は該コアネットワークのネットワーク要素にプリセット値を送信することを含み、該ＱｏＳ属性情報は該第１端末装置のデータ伝送速度及び／又は信頼性要件と該プリセット値との大きさ関係を指示することに用いられ、該大きさ関係は、該第１端末装置のデータ伝送速度及び／又は信頼性要件が該プリセット値より大きいこと、該第１端末装置のデータ伝送速度及び／又は信頼性要件が該プリセット値より小さいこと、該第１端末装置のデータ伝送速度及び／又は信頼性要件が該プリセット値以上であること、及び該第１端末装置のデータ伝送速度及び／又は信頼性要件が該プリセット値以下であることのうちの１つである。
【００１９】
第一態様及びその上記実現方式に関連して、第一態様の別の実現方式では、該第１端末装置又はコアネットワークのネットワーク要素から送信されたＱｏＳ属性情報を受信する前に、該方法は更に、該第１端末装置又は該コアネットワークのネットワーク要素にプリセット値を送信することを含み、該ＱｏＳ属性情報はターゲットサービスのデータ伝送速度及び／又は信頼性要件と該プリセット値との大きさ関係を指示することに用いられ、該大きさ関係は、該ターゲットサービスのデータ伝送速度及び／又は信頼性要件が該プリセット値より大きいこと、該ターゲットサービスのデータ伝送速度及び／又は信頼性要件が該プリセット値より小さいこと、該ターゲットサービスのデータ伝送速度及び／又は信頼性要件が該プリセット値以上であること、及び該ターゲットサービスのデータ伝送速度及び／又は信頼性要件が該プリセット値以下であることのうちの１つであり、該ターゲットサービスは該第１端末装置と該第２端末装置との間に該伝送リソースで伝送されるサービスである。
【００２０】
理解されるように、本願の実施例における該信頼性要件は具体的にパケットロス率であってもよい。
【００２１】
従って、本願の実施例のリソース割り当て用の方法では、ネットワーク装置は端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
【００２２】
第二態様では、リソース割り当て用の方法を提供し、該方法は、コアネットワークのネットワーク要素がＱｏＳ属性情報を決定し、該ＱｏＳ属性情報は第１端末装置のＱｏＳ属性を指示することに用いられることと、該コアネットワークのネットワーク要素がネットワーク装置に該ＱｏＳ属性情報を送信し、該ＱｏＳ属性情報は該ネットワーク装置が該第１端末装置に伝送リソースを割り当てることに用いられ、該伝送リソースは該第１端末装置が第２端末装置にデータを送信することに用いられることと、を含む。
【００２３】
第二態様に関連して、第二態様の実現方式では、該ＱｏＳ属性は該第１端末装置のデータ伝送速度及び／又は信頼性要件を含む。
【００２４】
理解されるように、該第１端末装置のデータ伝送速度及び／又は信頼性要件とは具体的に該第１端末装置のターゲットサービスのデータ伝送速度及び／又は信頼性要件を指してもよく、該ターゲットサービスは第１端末装置及び第２端末装置が伝送リソースで伝送するサービスである。
【００２５】
第二態様及びその上記実現方式に関連して、第二態様の別の実現方式では、該ＱｏＳ属性情報は該第１端末装置のデータ伝送速度及び／又はパケットロス率を含む。
【００２６】
理解されるように、該ＱｏＳ属性情報は具体的に該ターゲットサービスのデータ伝送速度及び／又は信頼性要件を含んでもよい。
【００２７】
第二態様及びその上記実現方式に関連して、第二態様の別の実現方式では、該ＱｏＳ属性情報は該第１端末装置の該ＱｏＳ属性に対応するターゲットインデックスを含む。
【００２８】
第二態様及びその上記実現方式に関連して、第二態様の別の実現方式では、該方法は更に、該第１端末装置に処理対象のサービスを送信することにより、該第１端末装置が該伝送リソースを使用して該処理対象のサービスを処理することを含む。
【００２９】
第二態様及びその上記実現方式に関連して、第二態様の別の実現方式では、該ＱｏＳ属性情報は最大値、最小値及び区間値のうちの少なくとも１つを含み、該最大値は該第１端末装置のデータ伝送速度及び／又は信頼性要件の最大値であり、該最小値は該第１端末装置のデータ伝送速度及び／又は信頼性要件の最小値であり、該区間値は該第１端末装置のデータ伝送速度及び／又は信頼性要件の値の範囲である。
【００３０】
第二態様及びその上記実現方式に関連して、第二態様の別の実現方式では、該ＱｏＳ属性情報は最大値、最小値及び区間値のうちの少なくとも１つを含み、該最大値はターゲットサービスのデータ伝送速度及び／又は信頼性要件の最大値であり、該最小値は該ターゲットサービスのデータ伝送速度及び／又は信頼性要件の最小値であり、該区間値は該ターゲットサービスのデータ伝送速度及び／又は信頼性要件の値の範囲であり、該ターゲットサービスは該第１端末装置と該第２端末装置との間に該伝送リソースで伝送されるサービスである。
【００３１】
第二態様及びその上記実現方式に関連して、第二態様の別の実現方式では、該コアネットワークのネットワーク要素がネットワーク装置に該ＱｏＳ属性情報を送信する前に、該方法は更に、該コアネットワークのネットワーク要素が該ネットワーク装置から送信されたプリセット値を受信することを含み、該ＱｏＳ属性情報は該第１端末装置のデータ伝送速度及び／又は信頼性要件と該プリセット値との大きさ関係を指示することに用いられ、該大きさ関係は、該第１端末装置のデータ伝送速度及び／又は信頼性要件が該プリセット値より大きいこと、該第１端末装置のデータ伝送速度及び／又は信頼性要件が該プリセット値より小さいこと、該第１端末装置のデータ伝送速度及び／又は信頼性要件が該プリセット値以上であること、及び該第１端末装置のデータ伝送速度及び／又は信頼性要件が該プリセット値以下であることのうちの１つである。
【００３２】
第二態様及びその上記実現方式に関連して、第二態様の別の実現方式では、該コアネットワークのネットワーク要素がネットワーク装置に該ＱｏＳ属性情報を送信する前に、該方法は更に、該コアネットワークのネットワーク要素が該ネットワーク装置から送信されたプリセット値を受信することを含み、該ＱｏＳ属性情報は該ターゲットサービスのデータ伝送速度及び／又は信頼性要件と該プリセット値との大きさ関係を指示することに用いられ、該大きさ関係は、該ターゲットサービスのデータ伝送速度及び／又は信頼性要件が該プリセット値より大きいこと、該ターゲットサービスのデータ伝送速度及び／又は信頼性要件が該プリセット値より小さいこと、該ターゲットサービスのデータ伝送速度及び／又は信頼性要件が該プリセット値以上であること、及び該ターゲットサービスのデータ伝送速度及び／又は信頼性要件が該プリセット値以下であることのうちの１つであり、該ターゲットサービスは該第１端末装置と該第２端末装置との間に該伝送リソースで伝送されるサービスである。
【００３３】
理解されるように、本願の実施例における該信頼性要件は具体的にパケットロス率であってもよい。
【００３４】
従って、本願の実施例のリソース割り当て用の方法では、ネットワーク装置に端末装置のＱｏＳ属性を含むＱｏＳ属性情報を送信することにより、ネットワーク装置は該端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
【００３５】
第三態様では、リソース割り当て用の方法を提供し、該方法は、第１端末装置がＱｏＳ属性情報を決定し、該ＱｏＳ属性は該第１端末装置のＱｏＳ属性を指示することに用いられることと、該第１端末装置がネットワーク装置に該ＱｏＳ属性情報を送信することと、該第１端末装置は該ネットワーク装置が該ＱｏＳ属性情報に基づいて決定した伝送リソースを受信することと、該第１端末装置が該伝送リソースで第２端末装置にデータを送信することと、を含む。
【００３６】
第三態様に関連して、第三態様の実現方式では、該ＱｏＳ属性は該第１端末装置のデータ伝送速度及び／又は信頼性要件を含む。
【００３７】
理解されるように、該第１端末装置のデータ伝送速度及び／又は信頼性要件とは具体的に該第１端末装置のターゲットサービスのデータ伝送速度及び／又は信頼性要件を指してもよく、該ターゲットサービスは第１端末装置及び第２端末装置が伝送リソースで伝送するサービスである。
【００３８】
第三態様及びその上記実現方式に関連して、第三態様の別の実現方式では、該ＱｏＳ属性情報は該第１端末装置のデータ伝送速度及び／又はパケットロス率を含む。
【００３９】
理解されるように、該ＱｏＳ属性情報は具体的に該ターゲットサービスのデータ伝送速度及び／又は信頼性要件を含んでもよい。
【００４０】
第三態様及びその上記実現方式に関連して、第三態様の別の実現方式では、該ＱｏＳ属性情報は該第１端末装置の該ＱｏＳ属性に対応するターゲットインデックスを含む。
【００４１】
第三態様及びその上記実現方式に関連して、第三態様の別の実現方式では、該ＱｏＳ属性情報は最大値、最小値及び区間値のうちの少なくとも１つを含み、該最大値は該第１端末装置のデータ伝送速度及び／又は信頼性要件の最大値であり、該最小値は該第１端末装置のデータ伝送速度及び／又は信頼性要件の最小値であり、該区間値は該第１端末装置のデータ伝送速度及び／又は信頼性要件の値の範囲である。
【００４２】
第三態様及びその上記実現方式に関連して、第三態様の別の実現方式では、該ＱｏＳ属性情報は最大値、最小値及び区間値のうちの少なくとも１つを含み、該最大値はターゲットサービスのデータ伝送速度及び／又は信頼性要件の最大値であり、該最小値は該ターゲットサービスのデータ伝送速度及び／又は信頼性要件の最小値であり、該区間値は該ターゲットサービスのデータ伝送速度及び／又は信頼性要件の値の範囲であり、該ターゲットサービスは該第１端末装置と該第２端末装置との間に該伝送リソースで伝送されるサービスである。
【００４３】
第三態様及びその上記実現方式に関連して、第三態様の別の実現方式では、該第１端末装置がネットワーク装置に該ＱｏＳ属性情報を送信する前に、該方法は更に、該第１端末装置が該ネットワーク装置から送信されたプリセット値を受信することを含み、該ＱｏＳ属性情報は該第１端末装置のデータ伝送速度及び／又は信頼性要件と該プリセット値との大きさ関係を指示することに用いられ、該大きさ関係は、該第１端末装置のデータ伝送速度及び／又は信頼性要件が該プリセット値より大きいこと、該第１端末装置のデータ伝送速度及び／又は信頼性要件が該プリセット値より小さいこと、該第１端末装置のデータ伝送速度及び／又は信頼性要件が該プリセット値以上であること、及び該第１端末装置のデータ伝送速度及び／又は信頼性要件が該プリセット値以下であることのうちの１つである。
【００４４】
第三態様及びその上記実現方式に関連して、第三態様の別の実現方式では、該第１端末装置がネットワーク装置に該ＱｏＳ属性情報を送信する前に、該方法は更に、該第１端末装置が該ネットワーク装置から送信されたプリセット値を受信することを含み、該ＱｏＳ属性情報は該ターゲットサービスのデータ伝送速度及び／又は信頼性要件と該プリセット値との大きさ関係を指示することに用いられ、該大きさ関係は、該ターゲットサービスのデータ伝送速度及び／又は信頼性要件が該プリセット値より大きいこと、該ターゲットサービスのデータ伝送速度及び／又は信頼性要件が該プリセット値より小さいこと、該ターゲットサービスのデータ伝送速度及び／又は信頼性要件が該プリセット値以上であること、及び該ターゲットサービスのデータ伝送速度及び／又は信頼性要件が該プリセット値以下であることのうちの１つであり、該ターゲットサービスは該第１端末装置と該第２端末装置との間に該伝送リソースで伝送されるサービスである。
【００４５】
理解されるように、本願の実施例における該信頼性要件は具体的にパケットロス率であってもよい。
【００４６】
従って、本願の実施例のリソース割り当て用の方法では、ネットワーク装置に端末装置のＱｏＳ属性を含むＱｏＳ属性情報を送信することにより、ネットワーク装置は該端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
【００４７】
第四態様では、上記第一態様又は第一態様の任意の可能な実現方式における方法を実行するためのネットワーク装置を提供する。具体的に、該ネットワーク装置は上記第一態様又は第一態様の任意の可能な実現方式における方法を実行するためのユニットを備える。
【００４８】
第五態様では、上記第二態様又は第二態様の任意の可能な実現方式における方法を実行するためのコアネットワークのネットワーク要素を提供する。具体的に、該コアネットワークのネットワーク要素は上記第二態様又は第二態様の任意の可能な実現方式における方法を実行するためのユニットを備える。
【００４９】
第六態様では、上記第三態様又は第三態様の任意の可能な実現方式における方法を実行するための端末装置を提供する。具体的に、該端末装置は上記第三態様又は第三態様の任意の可能な実現方式における方法を実行するためのユニットを備える。
【００５０】
第七態様では、記憶ユニット及びプロセッサを備えるネットワーク装置を提供し、該記憶ユニットは命令を記憶することに用いられ、該プロセッサは該メモリに記憶される命令を実行することに用いられ、且つ該プロセッサが該メモリに記憶される命令を実行する時、該実行により該プロセッサは第一態様又は第一態様の任意の可能な実現方式における方法を実行する。
【００５１】
第八態様では、記憶ユニット及びプロセッサを備えるコアネットワークのネットワーク要素を提供し、該記憶ユニットは命令を記憶することに用いられ、該プロセッサは該メモリに記憶される命令を実行することに用いられ、且つ該プロセッサが該メモリに記憶される命令を実行する時、該実行により該プロセッサは第二態様又は第二態様の任意の可能な実現方式における方法を実行する。
【００５２】
第九態様では、記憶ユニット及びプロセッサを備える端末装置を提供し、該記憶ユニットは命令を記憶することに用いられ、該プロセッサは該メモリに記憶される命令を実行することに用いられ、且つ該プロセッサが該メモリに記憶される命令を実行する時、該実行により該プロセッサは第三態様又は第三態様の任意の可能な実現方式における方法を実行する。
【００５３】
第十態様では、コンピュータプログラムを記憶するためのコンピュータ可読媒体を提供し、該コンピュータプログラムは第一態様又は第一態様の任意の可能な実現方式における方法を実行するための命令を含む。
【００５４】
第十一態様では、コンピュータプログラムを記憶するためのコンピュータ可読媒体を提供し、該コンピュータプログラムは第二態様又は第二態様の任意の可能な実現方式における方法を実行するための命令を含む。
【００５５】
第十二態様では、コンピュータプログラムを記憶するためのコンピュータ可読媒体を提供し、該コンピュータプログラムは第三態様又は第三態様の任意の可能な実現方式における方法を実行するための命令を含む。
【００５６】
第十三態様では、命令を含むコンピュータプログラム製品を提供し、コンピュータが前記コンピュータプログラム製品の前記命令を実行する時、前記コンピュータは上記第一態様又は第一態様の任意の可能な実現方式におけるリソース割り当て用の方法を実行する。具体的に、該コンピュータプログラム製品は上記第四態様のネットワーク装置において実行できる。
【００５７】
第十四態様では、命令を含むコンピュータプログラム製品を提供し、コンピュータが前記コンピュータプログラム製品の前記命令を実行する時、前記コンピュータは上記第二態様又は第二態様の任意の可能な実現方式におけるリソース割り当て用の方法を実行する。具体的に、該コンピュータプログラム製品は上記第五態様のコアネットワークのネットワーク要素において実行できる。
【００５８】
第十五態様、命令を含むコンピュータプログラム製品を提供し、コンピュータが前記コンピュータプログラム製品の前記命令を実行する時、前記コンピュータは上記第三態様又は第三態様の任意の可能な実現方式におけるリソース割り当て用の方法を実行する。具体的に、該コンピュータプログラム製品は上記第六態様の端末装置において実行できる。
【図面の簡単な説明】
【００５９】
【図１】図１は本願の実施例に係るリソース割り当て用の方法の模式的なフローチャートである。
【図２】図２は本願の実施例に係るリソース割り当て用の方法の別の模式的なフローチャートである。
【図３】図３は本願の実施例に係るネットワーク装置の模式的なブロック図である。
【図４】図４は本願の実施例に係る通信装置の模式的なブロック図である。
【図５】図５は本願の実施例に係るネットワーク装置の別の模式的なブロック図である。
【図６】図６は本願の実施例に係る通信装置の別の模式的なブロック図である。
【発明を実施するための形態】
【００６０】
以下では図面を参照しながら本願の実施例における技術案を説明する。
【００６１】
本願の実施例の技術案は様々な通信システム、例えば、モバイル通信用グローバル（ＧＳＭＣ、ｇｌｏｂａｌ  ｓｙｓｔｅｍ  ｏｆ  ｍｏｂｉｌｅ  ｃｏｍｍｕｎｉｃａｔｉｏｎ）システム、符号分割多元接続（ＣＤＭＡ、ｃｏｄｅ  ｄｉｖｉｓｉｏｎ  ｍｕｌｔｉｐｌｅ  ａｃｃｅｓｓ）システム、広帯域符号分割多元接続（ＷＣＤＭＡ、ｗｉｄｅｂａｎｄ  ｃｏｄｅ  ｄｉｖｉｓｉｏｎ  ｍｕｌｔｉｐｌｅ  ａｃｃｅｓｓ）システム、汎用パケット無線サービス（ＧＰＲＳ、ｇｅｎｅｒａｌ  ｐａｃｋｅｔ  ｒａｄｉｏ  ｓｅｒｖｉｃｅ）、ＬＴＥシステム、ＬＴＥ周波数分割複信（ＦＤＤ、ｆｒｅｑｕｅｎｃｙ  ｄｉｖｉｓｉｏｎ  ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、ｕｎｉｖｅｒｓａｌ  ｍｏｂｉｌｅ  ｔｅｌｅｃｏｍｍｕｎｉｃａｔｉｏｎ  ｓｙｓｔｅｍ）、マイクロ波利用アクセスに関する世界的な相互運用（ＷｉＭＡＸ、ｗｏｒｌｄｗｉｄｅ  ｕｎｔｅｒｏｐｅｒａｂｉｌｉｔｙ  ｆｏｒ  ｍｉｃｒｏｗａｖｅ  ａｃｃｅｓｓ）通信システム、将来の第５世代（５Ｇ、５ｔｈ  ｇｅｎｅｒａｔｉｏｎ）システム又は新無線（ＮＲ、ｎｅｗ  ｒａｄｉｏ）等に適用されてもよい。
【００６２】
本願の実施例における端末装置とは、ユーザ装置、アクセス端末、加入者ユニット、加入者局、移動局、移動台、遠隔局、遠隔端末、移動装置、ユーザ端末、端末、無線通信装置、ユーザエージェント又はユーザデバイスを指してもよい。端末装置はセルラーホン、コードレスホン、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を有するハンドヘルドデバイス、計算装置又は無線モデムに接続される他の処理装置、車載デバイス、ウェアラブルデバイス、将来の５Ｇネットワークにおける端末装置又は将来進化型の公衆陸上モバイルネットワーク（Ｐｕｂｌｉｃ  Ｌａｎｄ  Ｍｏｂｉｌｅ  Ｎｅｔｗｏｒｋ、ＰＬＭＮ）における端末装置等であってもよく、本願の実施例はそれを限定しない。
【００６３】
本願の実施例におけるネットワーク装置は端末装置と通信するための装置であってもよく、該ネットワーク装置はＧＳＭＣシステム又はＣＤＭＡにおける基地局（ＢＴＳ、ｂａｓｅ  ｔｒａｎｓｃｅｉｖｅｒ  ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、ｅｖｏｌｕｔｉｏｎａｌ  ＮｏｄｅＢ）であってもよく、更にクラウド無線アクセスネットワーク（ＣＲＡＮ、ｃｌｏｕｄ  ｒａｄｉｏ  ａｃｃｅｓｓ  ｎｅｔｗｏｒｋ）シーンでの無線コントローラーであってもよく、又は該ネットワーク装置は中継局、アクセスポイント、車載装置、ウェアラブルデバイス及び将来の５Ｇネットワークにおけるネットワーク装置又は将来発展するＰＬＭＮネットワークにおけるネットワーク装置等であってもよく、本願の実施例は制限しない。
【００６４】
図１は本願の実施例に係るリソース割り当て用の方法１００の模式的なフローチャートを示し、該方法１００はネットワーク装置で実行されてもよい。図１に示すように、該方法１００は、第１端末装置のＱｏＳ属性を決定するＳ１１０と、該ＱｏＳ属性に基づいて、該第１端末装置に伝送リソースを割り当て、該伝送リソースは該第１端末装置が第２端末装置にデータを送信することに用いられるＳ１２０と、を含む。
【００６５】
本願の実施例では、該ネットワーク装置が第１端末装置のＱｏＳ属性を決定することは、ネットワーク装置が該第１端末装置又はコアネットワークのネットワーク要素から送信されたＱｏＳ属性情報を受信し、該ＱｏＳ属性情報によって該第１端末装置のＱｏＳ属性を指示することを含んでもよい。
【００６６】
理解されるように、該第１端末装置のＱｏＳ属性は該第１端末装置のデータ伝送速度及び／又は信頼性要件を含んでもよく、又は、該第１端末装置のＱｏＳ属性を特徴付ける他のパラメータを更に含んでもよく、本願の実施例はそれに制限されない。
【００６７】
具体的に、該第１端末装置のＱｏＳ属性はターゲットサービスのデータ伝送速度及び／又は信頼性要件を含んでもよく、又は、該ターゲットのＱｏＳ属性を特徴付ける他のパラメータを更に含んでもよく、該ターゲットサービスは該第１端末装置と第２端末装置との間のサービスであり、該第１端末装置はネットワーク装置が構成した伝送リソースによって第２端末装置と該ターゲットサービスを伝送できる。
【００６８】
対応的に、該ＱｏＳ属性情報は該第１端末装置又は該第１端末装置及び第２端末装置のターゲットサービスのデータ伝送速度に関連する情報を含んでもよく、及び／又は、信頼性要件に関連する情報を含んでもよく、又は、他のＱｏＳ属性を特徴付ける情報を更に含んでもよい。説明を簡単にするために、以下では該ＱｏＳ属性情報がデータ伝送速度及び／又は信頼性要件に関連する情報を含むことを例として説明する。
【００６９】
選択肢として、１つの実施例として、該ＱｏＳ属性情報はデータ伝送速度及び／又は信頼性要件を示す具体的な数値を含んでもよい。例えば、該ＱｏＳ属性情報はデータ伝送速度を示す具体的な数値を含んでもよく、例えば、それぞれＸ／Ｙ／Ｚ（Ｍｂｉｔ／ｓ）という任意の３つのデータ伝送速度を定義でき、該ＱｏＳ属性情報は該３つのデータ伝送速度値のうちの任意の１つの数値を含む。
【００７０】
また、例えば、該ＱｏＳ属性情報は信頼性要件を示す具体的な数値を更に含んでもよく、例えば、パケットロス率によって信頼性要件を示すことができ、それぞれ１０＾−Ａ／１０＾−Ｂ／１０＾−Ｃという３つのパケットロス率（ｅｒｒｏｒ  ｒａｔｅ）を任意に定義でき、該ＱｏＳ属性情報は該３つの数値のうちの任意の１つを含んでもよい。
【００７１】
選択肢として、１つの実施例として、該ＱｏＳ属性情報は第１端末装置又は該第１端末装置と第２端末装置との間にターゲットサービスを伝送する時のデータ伝送速度及び／又は信頼性要件を示す最大値及び／又は最小値を含んでもよい。具体的に、該ＱｏＳ属性情報は最大値を含んでもよく、該最大値はデータ伝送速度及び／又は信頼性要件の最大値であり、即ちネットワーク装置は該ＱｏＳ属性情報に基づいて、対応するＱｏＳ属性における第１端末装置又はターゲットサービスのデータ伝送速度及び／又は信頼性要件が該最大値を超えないことを決定できる。
【００７２】
又は、該ＱｏＳ属性情報は最小値を含んでもよく、該最小値はデータ伝送速度及び／又は信頼性要件の最小値であり、即ちネットワーク装置は該ＱｏＳ属性情報に基づいて、対応するＱｏＳ属性における第１端末装置又はターゲットサービスのデータ伝送速度及び／又は信頼性要件が該最小値以上であることを決定できる。
【００７３】
又は、該ＱｏＳ属性情報は１つの区間値を含んでもよく、該区間値は最大値及び最小値に対応し、即ち該ＱｏＳ属性情報は１つの範囲を含んでもよく、第１端末装置又はターゲットサービスのデータ伝送速度及び／又は信頼性要件は該区間値の上限を超えず、且つ該第１端末装置又はターゲットサービスのデータ伝送速度及び／又は信頼性要件は該区間値の下限以上であり、即ちネットワーク装置は該ＱｏＳ属性情報に基づいて、対応するＱｏＳ属性における第１端末装置又はターゲットサービスのデータ伝送速度及び／又は信頼性要件の範囲が該区間値内にあることを決定できる。
【００７４】
選択肢として、１つの実施例として、ネットワーク装置は該第１端末装置又はコアネットワークのネットワーク要素から送信されたＱｏＳ属性情報を受信する前に、該方法１００は更に、ネットワーク装置が第１端末装置又はコアネットワーク装置にプリセット値を送信することにより、該プリセット値を受信した第１端末装置又はコアネットワーク装置が該プリセット値に基づいて該ＱｏＳ属性情報を送信することを含む。
【００７５】
該ＱｏＳ属性情報はターゲットサービス又は第１端末装置のデータ伝送速度及び／又は信頼性要件と該プリセット値との大きさ関係を含んでもよく、該大きさ関係は、ターゲットサービス又は第１端末装置のデータ伝送速度及び／又は信頼性要件が該プリセット値より大きいこと、ターゲットサービス又は第１端末装置のデータ伝送速度及び／又は信頼性要件が該プリセット値より小さいこと、ターゲットサービス又は第１端末装置のデータ伝送速度及び／又は信頼性要件が該プリセット値以上であること、及びターゲットサービス又は第１端末装置のデータ伝送速度及び／又は信頼性要件が該プリセット値以下であることの４つの関係のうちの任意の１つである。
【００７６】
選択肢として、１つの実施例として、インデックスによってＱｏＳ属性を示してもよい。具体的に、ＱｏＳ属性と異なるインデックスとの間の複数のマッピング関係、例えば異なるデータ伝送速度及び信頼性要件と異なるインデックスとの間のマッピング関係を確立でき、そうするとＱｏＳ属性情報はターゲットインデックスを含んでもよく、ネットワーク装置はマッピング関係に基づいて、ターゲットインデックスに対応するＱｏＳ属性が該第１端末装置のＱｏＳ属性であることを決定する。
【００７７】
例えば、それぞれＸ／Ｙ／Ｚ（Ｍｂｉｔ／ｓ）という任意の３つのデータ伝送速度を定義し、同様に、信頼性要件に対して、パケットロス率によって定量化を行って、それぞれ１０＾−Ａ／１０＾−Ｂ／１０＾−Ｃという３つのパケットロス率を定義でき、そうすると該３つのデータ伝送速度と３つのパケットロス率は総計３＊３＝９つの組み合わせを有し、該９つの組み合わせにおける各組み合わせに対して１つのインデックスを定義し、９つの組み合わせと９つの異なるインデックスとの間のマッピング関係を確立することができる。ネットワーク装置はＱｏＳ属性情報にターゲットインデックスが含まれることを決定し、該ターゲットインデックスは該９つのインデックスのうちの任意の１つであってもよく、そうすると、該ターゲットインデックスに対応するデータ伝送速度とパケットロス率との組み合わせを該第１端末装置のＱｏＳ属性として決定する。
【００７８】
更に、例えば、該３つのデータ伝送速度と３つのパケットロス率との９つの組み合わせに対して、該９つの組み合わせのうちの一部の組み合わせを除いた後、残りの各組み合わせに対して１つのインデックスをそれぞれ定義し、該残りの組み合わせと異なるインデックスとの間のマッピング関係を確立し、本願の実施例はそれに制限されない。
【００７９】
本願の実施例では、ネットワーク装置は該第１端末装置のＱｏＳ属性を決定して、該ＱｏＳ属性に基づいて該第１端末装置に伝送リソースを割り当て、該伝送リソースはキャリアリソースを含み、該第１端末装置に１つの又は複数のコンポーネントキャリアを割り当てることができ、それにより該第１端末装置は該伝送リソースで第２端末装置にデータを送信でき、該第２端末装置は該第１端末装置以外の他の端末装置であってもよい。該第１端末装置は該伝送リソースで複数の端末装置にデータを送信でき、該第２端末装置は該複数の端末装置のうちの任意の１つの端末装置であってもよい。
【００８０】
従って、本願の実施例のリソース割り当て用の方法では、ネットワーク装置は端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
【００８１】
図２は本願の実施例に係るリソース割り当て用の方法２００の模式的なフローチャートを示し、該方法２００は通信装置で実行されてもよく、具体的に、例えば該通信装置はコアネットワークのネットワーク要素、例えばＶ２Ｘ機能（ｆｕｎｃｔｉｏｎ）ネットワークエレメントであってもよく、又は該通信装置は端末装置であってもよい。図２に示すように、該方法２００は、第１端末装置のＱｏＳ属性を指示するためのＱｏＳ属性情報を決定するＳ２１０と、ネットワーク装置に該ＱｏＳ属性情報を送信し、該ＱｏＳ属性情報は該ネットワーク装置が該第１端末装置に伝送リソースを割り当てることに用いられ、該伝送リソースは該第１端末装置が第２端末装置にデータを送信することに用いられるＳ２２０と、を含む。
【００８２】
選択肢として、該ＱｏＳ属性は該第１端末装置のデータ伝送速度及び／又は信頼性要件を含む。
【００８３】
選択肢として、該ＱｏＳ属性情報は該第１端末装置のデータ伝送速度及び／又はパケットロス率を含む。
【００８４】
選択肢として、該ＱｏＳ属性情報は該第１端末装置の該ＱｏＳ属性に対応するターゲットインデックスを含む。
【００８５】
選択肢として、該方法はコアネットワークのネットワーク要素で実行され、該方法２００は更に、該第１端末装置に処理対象のサービスを送信することにより、該第１端末装置が該伝送リソースで該第２端末装置に該処理対象のサービスを送信することを含む。
【００８６】
選択肢として、該方法は該第１端末装置で実行され、該方法２００は更に、該ネットワーク装置から送信された伝送リソースを受信し、該伝送リソースで該第２端末装置にデータを送信することを含む。
【００８７】
選択肢として、該ＱｏＳ属性情報は最大値、最小値及び区間値のうちの少なくとも１つを含み、該最大値は該第１端末装置のデータ伝送速度及び／又は信頼性要件の最大値であり、該最小値は該第１端末装置のデータ伝送速度及び／又は信頼性要件の最小値であり、該区間値は該第１端末装置のデータ伝送速度及び／又は信頼性要件の値の範囲である。
【００８８】
選択肢として、該ＱｏＳ属性情報は最大値、最小値及び区間値のうちの少なくとも１つを含み、該最大値はターゲットサービスのデータ伝送速度及び／又は信頼性要件の最大値であり、該最小値は該ターゲットサービスのデータ伝送速度及び／又は信頼性要件の最小値であり、該区間値は該ターゲットサービスのデータ伝送速度及び／又は信頼性要件の値の範囲であり、該ターゲットサービスは該第１端末装置と該第２端末装置との間に該伝送リソースで伝送されるサービスである。
【００８９】
選択肢として、該ネットワーク装置に該ＱｏＳ属性情報を送信する前に、該方法は更に、該ネットワーク装置から送信されたプリセット値を受信することを含み、該ＱｏＳ属性情報は該第１端末装置のデータ伝送速度及び／又は信頼性要件と該プリセット値との大きさ関係を指示することに用いられ、該大きさ関係は、該第１端末装置のデータ伝送速度及び／又は信頼性要件が該プリセット値より大きいこと、該第１端末装置のデータ伝送速度及び／又は信頼性要件が該プリセット値より小さいこと、該第１端末装置のデータ伝送速度及び／又は信頼性要件が該プリセット値以上であること、及び該第１端末装置のデータ伝送速度及び／又は信頼性要件が該プリセット値以下であることのうちの１つである。
【００９０】
選択肢として、該ネットワーク装置に該ＱｏＳ属性情報を送信する前に、該方法は更に、該ネットワーク装置から送信されたプリセット値を受信することを含み、該ＱｏＳ属性情報は該ターゲットサービスのデータ伝送速度及び／又は信頼性要件と該プリセット値との大きさ関係を指示することに用いられ、該大きさ関係は、該ターゲットサービスのデータ伝送速度及び／又は信頼性要件が該プリセット値より大きいこと、該ターゲットサービスのデータ伝送速度及び／又は信頼性要件が該プリセット値より小さいこと、該ターゲットサービスのデータ伝送速度及び／又は信頼性要件が該プリセット値以上であること、及び該ターゲットサービスのデータ伝送速度及び／又は信頼性要件が該プリセット値以下であることのうちの１つであり、該ターゲットサービスは該第１端末装置と該第２端末装置との間に該伝送リソースで伝送されるサービスである。
【００９１】
理解されるように、本願の実施例における該信頼性要件は具体的にパケットロス率であってもよい。
【００９２】
理解されるように、該方法２００におけるコアネットワークのネットワーク要素は方法１００におけるコアネットワークのネットワーク要素に対応でき、該方法２００における第１端末装置は方法１００における第１端末装置に対応でき、該方法２００におけるネットワーク装置は方法１００におけるネットワーク装置に対応でき、ここで繰り返して説明しない。
【００９３】
従って、本願の実施例のリソース割り当て用の方法では、ネットワーク装置に端末装置のＱｏＳ属性を含むＱｏＳ属性情報を送信することにより、ネットワーク装置は該端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
【００９４】
理解されるように、本願の様々な実施例において、上記各過程の番号の順位は実行順序の前後を意味せず、各過程の実行順序はその機能及び内部論理によって決定されるべきであり、本願の実施例の実施過程を制限するためのものではない。
【００９５】
以上の説明では、図１〜図２を参照しながら本願の実施例に係るリソース割り当て用の方法を詳細に説明し、以下では図３〜図６を参照しながら本願の実施例に係るネットワーク装置及び通信装置を説明する。
【００９６】
図３に示すように、本願の実施例に係るネットワーク装置３００は決定ユニット３１０及び処理ユニット３２０を備え、選択肢として、受信ユニット３３０及び送信ユニット３４０を更に備えてもよい。
【００９７】
具体的に、決定ユニット３１０は、第１端末装置のＱｏＳ属性を決定することに用いられ、処理ユニット３２０は、該ＱｏＳ属性に基づいて、該第１端末装置に伝送リソースを割り当てることに用いられ、該伝送リソースは該第１端末装置が第２端末装置にデータを送信することに用いられる。
【００９８】
選択肢として、該ＱｏＳ属性は該第１端末装置のデータ伝送速度及び／又は信頼性要件を含む。
【００９９】
選択肢として、受信ユニット３３０は、該第１端末装置又はコアネットワークのネットワーク要素から送信されたＱｏＳ属性情報を受信することに用いられ、該決定ユニット３１０は具体的に、該ＱｏＳ属性情報に基づいて、該第１端末装置の該ＱｏＳ属性を決定することに用いられる。
【０１００】
選択肢として、該ＱｏＳ属性情報は該第１端末装置のデータ伝送速度及び／又はパケットロス率を含む。
【０１０１】
選択肢として、該ＱｏＳ属性情報はターゲットインデックスを含み、該決定ユニット３１０は具体的に、異なるＱｏＳ属性と異なるインデックスとの間の対応関係に基づいて、該ターゲットインデックスに対応するＱｏＳ属性が該第１端末装置の該ＱｏＳ属性であることを決定することに用いられる。
【０１０２】
選択肢として、該異なるＱｏＳ属性と異なるインデックスとの間の対応関係は異なるデータ伝送速度及び信頼性要件と異なるインデックスとの間の対応関係である。該決定ユニット３１０は具体的に、該異なるデータ伝送速度及びパケットロス率と異なるインデックスとの間の対応関係に基づいて、該ターゲットインデックスに対応するデータ伝送速度及びパケットロス率が該第１端末装置の該ＱｏＳ属性であることを決定することに用いられる。
【０１０３】
選択肢として、該ＱｏＳ属性情報は最大値、最小値及び区間値のうちの少なくとも１つを含み、該最大値は該第１端末装置のデータ伝送速度及び／又は信頼性要件の最大値であり、該最小値は該第１端末装置のデータ伝送速度及び／又は信頼性要件の最小値であり、該区間値は該第１端末装置のデータ伝送速度及び／又は信頼性要件の値の範囲である。
【０１０４】
選択肢として、該ＱｏＳ属性情報は最大値、最小値及び区間値のうちの少なくとも１つを含み、該最大値はターゲットサービスのデータ伝送速度及び／又は信頼性要件の最大値であり、該最小値は該ターゲットサービスのデータ伝送速度及び／又は信頼性要件の最小値であり、該区間値は該ターゲットサービスのデータ伝送速度及び／又は信頼性要件の値の範囲であり、該ターゲットサービスは該第１端末装置と該第２端末装置との間に該伝送リソースで伝送されるサービスである。
【０１０５】
選択肢として、該送信ユニット３４０は、該受信ユニット３３０が該第１端末装置又はコアネットワークのネットワーク要素から送信されたＱｏＳ属性情報を受信する前に、該第１端末装置又は該コアネットワークのネットワーク要素にプリセット値を送信することに用いられ、該ＱｏＳ属性情報は該第１端末装置のデータ伝送速度及び／又は信頼性要件と該プリセット値との大きさ関係を指示することに用いられ、該大きさ関係は、該第１端末装置のデータ伝送速度及び／又は信頼性要件が該プリセット値より大きいこと、該第１端末装置のデータ伝送速度及び／又は信頼性要件が該プリセット値より小さいこと、該第１端末装置のデータ伝送速度及び／又は信頼性要件が該プリセット値以上であること、及び該第１端末装置のデータ伝送速度及び／又は信頼性要件が該プリセット値以下であることのうちの１つである。
【０１０６】
選択肢として、該送信ユニット３４０は、該受信ユニット３３０が該第１端末装置又はコアネットワークのネットワーク要素から送信されたＱｏＳ属性情報を受信する前に、該第１端末装置又は該コアネットワークのネットワーク要素にプリセット値を送信することに用いられ、該ＱｏＳ属性情報はターゲットサービスのデータ伝送速度及び／又は信頼性要件と該プリセット値との大きさ関係を指示することに用いられ、該大きさ関係は、該ターゲットサービスのデータ伝送速度及び／又は信頼性要件が該プリセット値より大きいこと、該ターゲットサービスのデータ伝送速度及び／又は信頼性要件が該プリセット値より小さいこと、該ターゲットサービスのデータ伝送速度及び／又は信頼性要件が該プリセット値以上であること、及び該ターゲットサービスのデータ伝送速度及び／又は信頼性要件が該プリセット値以下であることのうちの１つであり、該ターゲットサービスは該第１端末装置と該第２端末装置との間に該伝送リソースで伝送されるサービスである。
【０１０７】
理解されるように、本願の実施例に係るネットワーク装置３００は本願の実施例の方法１００の実行に対応でき、且つネットワーク装置３００における各ユニットの上記操作及び他の操作及び／又は機能はそれぞれ図１〜図２における各方法のネットワーク装置の対応するフローを実現するためのものであり、簡潔のために、ここで繰り返して説明しない。
【０１０８】
従って、本願の実施例のネットワーク装置は端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
【０１０９】
図４に示すように、本願の実施例に係る通信装置４００は、決定ユニット４１０及び送信ユニット４２０を備え、選択肢として、受信ユニット４３０を更に備えてもよい。
【０１１０】
具体的に、該決定ユニット４１０は、第１端末装置のＱｏＳ属性を指示するためのＱｏＳ属性情報を決定することに用いられる。該送信ユニット４２０は、ネットワーク装置に該ＱｏＳ属性情報を送信することに用いられ、該ＱｏＳ属性情報は該ネットワーク装置が該第１端末装置に伝送リソースを割り当てることに用いられ、該伝送リソースは該第１端末装置が第２端末装置にデータを送信することに用いられる。
【０１１１】
選択肢として、該ＱｏＳ属性は該第１端末装置のデータ伝送速度及び／又は信頼性要件を含む。
【０１１２】
選択肢として、該ＱｏＳ属性情報は該第１端末装置のデータ伝送速度及び／又はパケットロス率を含む。
【０１１３】
選択肢として、該ＱｏＳ属性情報は該第１端末装置の該ＱｏＳ属性に対応するターゲットインデックスを含む。
【０１１４】
選択肢として、該ＱｏＳ属性情報は最大値、最小値及び区間値のうちの少なくとも１つ、該最大値は該第１端末装置のデータ伝送速度及び／又は信頼性要件の最大値であり、該最小値は該第１端末装置のデータ伝送速度及び／又は信頼性要件の最小値であり、該区間値は該第１端末装置のデータ伝送速度及び／又は信頼性要件の値の範囲である。
【０１１５】
選択肢として、該ＱｏＳ属性情報は最大値、最小値及び区間値のうちの少なくとも１つを含み、該最大値はターゲットサービスのデータ伝送速度及び／又は信頼性要件の最大値であり、該最小値は該ターゲットサービスのデータ伝送速度及び／又は信頼性要件の最小値であり、該区間値は該ターゲットサービスのデータ伝送速度及び／又は信頼性要件の値の範囲であり、該ターゲットサービスは該第１端末装置と該第２端末装置との間に該伝送リソースで伝送されるサービスである。
【０１１６】
選択肢として、該受信ユニット４３０は、該送信ユニット４２０がネットワーク装置に該ＱｏＳ属性情報を送信する前に、該ネットワーク装置から送信されたプリセット値を受信することに用いられ、該ＱｏＳ属性情報は該第１端末装置のデータ伝送速度及び／又は信頼性要件と該プリセット値との大きさ関係を指示することに用いられ、該大きさ関係は、該第１端末装置のデータ伝送速度及び／又は信頼性要件が該プリセット値より大きいこと、該第１端末装置のデータ伝送速度及び／又は信頼性要件が該プリセット値より小さいこと、該第１端末装置のデータ伝送速度及び／又は信頼性要件が該プリセット値以上であること、及び該第１端末装置のデータ伝送速度及び／又は信頼性要件が該プリセット値以下であることのうちの１つである。
【０１１７】
選択肢として、該受信ユニット４３０は、該送信ユニット４２０がネットワーク装置に該ＱｏＳ属性情報を送信する前に、該ネットワーク装置から送信されたプリセット値を受信することに用いられ、該ＱｏＳ属性情報は該ターゲットサービスのデータ伝送速度及び／又は信頼性要件と該プリセット値との大きさ関係を指示することに用いられ、該大きさ関係は、該ターゲットサービスのデータ伝送速度及び／又は信頼性要件が該プリセット値より大きいこと、該ターゲットサービスのデータ伝送速度及び／又は信頼性要件が該プリセット値より小さいこと、該ターゲットサービスのデータ伝送速度及び／又は信頼性要件が該プリセット値以上であること、及び該ターゲットサービスのデータ伝送速度及び／又は信頼性要件が該プリセット値以下であることのうちの１つであり、該ターゲットサービスは該第１端末装置と該第２端末装置との間に該伝送リソースで伝送されるサービスである。
【０１１８】
選択肢として、該通信装置４００はコアネットワークのネットワーク要素又は該第１端末装置である。
【０１１９】
理解されるように、本願の実施例の通信装置４００は本願の実施例の方法２００の実行に対応でき、且つ通信装置４００における各ユニットの上記操作及び他の操作及び／又は機能はそれぞれ図１〜図２における各方法のコアネットワークのネットワーク要素又は第１端末装置の対応するフローを実現するためのものであり、簡潔のため、ここで繰り返して説明しない。
【０１２０】
従って、本願の実施例の通信装置は、ネットワーク装置に端末装置のＱｏＳ属性を含むＱｏＳ属性情報を送信することにより、ネットワーク装置は該端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
【０１２１】
図５は本願の実施例に係るネットワーク装置５００の模式的なブロック図を示し、図５に示すように、該ネットワーク装置５００はプロセッサ５１０及び送受信機５２０を備え、プロセッサ５１０は送受信機５２０に接続され、選択肢として、該端末装置５００はプロセッサ５１０に接続されるメモリ５３０を更に備える。プロセッサ５１０と、メモリ５３０と、送受信機５２０との間には内部接続通路によって互いに通信し、データ信号を伝送し及び／又は制御し、該メモリ５３０は命令を記憶することに用いられてもよく、該プロセッサ５１０は該メモリ５３０に記憶される命令を実行することにより、送受信機５２０による情報又は信号の送信を制御することに用いられ、該プロセッサ５１０は、第１端末装置のＱｏＳ属性を決定することと、該ＱｏＳ属性に基づいて、該第１端末装置に伝送リソースを割り当て、該伝送リソースは該第１端末装置が第２端末装置にデータを送信することに用いられることと、に用いられる。
【０１２２】
選択肢として、１つの実施例として、該ＱｏＳ属性は該第１端末装置のデータ伝送速度及び／又は信頼性要件を含む。
【０１２３】
選択肢として、１つの実施例として、該送受信機５２０は、該第１端末装置又はコアネットワークのネットワーク要素から送信されたＱｏＳ属性情報を受信することに用いられ、該プロセッサ５１０は、該ＱｏＳ属性情報に基づいて、該第１端末装置の該ＱｏＳ属性を決定することに用いられる。
【０１２４】
選択肢として、１つの実施例として、該ＱｏＳ属性情報は該第１端末装置のデータ伝送速度及び／又はパケットロス率を含む。
【０１２５】
選択肢として、１つの実施例として、該ＱｏＳ属性情報はターゲットインデックスを含み、該プロセッサ５１０は、異なるＱｏＳ属性と異なるインデックスとの間の対応関係に基づいて、該ターゲットインデックスに対応するＱｏＳ属性が該第１端末装置の該ＱｏＳ属性であることを決定することに用いられる。
【０１２６】
選択肢として、１つの実施例として、該異なるＱｏＳ属性と異なるインデックスとの間の対応関係は異なるデータ伝送速度及び信頼性要件と異なるインデックスとの間の対応関係である。該プロセッサ５１０は、該異なるデータ伝送速度及びパケットロス率と異なるインデックスとの間の対応関係に基づいて、該ターゲットインデックスに対応するデータ伝送速度及びパケットロス率が該第１端末装置の該ＱｏＳ属性であることを決定することに用いられる。
【０１２７】
選択肢として、１つの実施例として、該ＱｏＳ属性情報は最大値、最小値及び区間値のうちの少なくとも１つを含み、該最大値は該第１端末装置のデータ伝送速度及び／又は信頼性要件の最大値であり、該最小値は該第１端末装置のデータ伝送速度及び／又は信頼性要件の最小値であり、該区間値は該第１端末装置のデータ伝送速度及び／又は信頼性要件の値の範囲である。
【０１２８】
選択肢として、１つの実施例として、該ＱｏＳ属性情報は最大値、最小値及び区間値のうちの少なくとも１つを含み、該最大値はターゲットサービスのデータ伝送速度及び／又は信頼性要件の最大値であり、該最小値は該ターゲットサービスのデータ伝送速度及び／又は信頼性要件の最小値であり、該区間値は該ターゲットサービスのデータ伝送速度及び／又は信頼性要件の値の範囲であり、該ターゲットサービスは該第１端末装置と該第２端末装置との間に該伝送リソースで伝送されるサービスである。
【０１２９】
選択肢として、１つの実施例として、該送受信機５２０は、該第１端末装置又はコアネットワークのネットワーク要素から送信されたＱｏＳ属性情報を受信する前に、該第１端末装置又は該コアネットワークのネットワーク要素にプリセット値を送信することに用いられ、該ＱｏＳ属性情報は該第１端末装置のデータ伝送速度及び／又は信頼性要件と該プリセット値との大きさ関係を指示することに用いられ、該大きさ関係は、該第１端末装置のデータ伝送速度及び／又は信頼性要件が該プリセット値より大きいこと、該第１端末装置のデータ伝送速度及び／又は信頼性要件が該プリセット値より小さいこと、該第１端末装置のデータ伝送速度及び／又は信頼性要件が該プリセット値以上であること、及び該第１端末装置のデータ伝送速度及び／又は信頼性要件が該プリセット値以下であることのうちの１つである。
【０１３０】
選択肢として、１つの実施例として、該送受信機５２０は、該第１端末装置又はコアネットワークのネットワーク要素から送信されたＱｏＳ属性情報を受信する前に、該第１端末装置又は該コアネットワークのネットワーク要素にプリセット値を送信することに用いられ、該ＱｏＳ属性情報はターゲットサービスのデータ伝送速度及び／又は信頼性要件と該プリセット値との大きさ関係を指示することに用いられ、該大きさ関係は、該ターゲットサービスのデータ伝送速度及び／又は信頼性要件が該プリセット値より大きいこと、該ターゲットサービスのデータ伝送速度及び／又は信頼性要件が該プリセット値より小さいこと、該ターゲットサービスのデータ伝送速度及び／又は信頼性要件が該プリセット値以上であること、及び該ターゲットサービスのデータ伝送速度及び／又は信頼性要件が該プリセット値以下であることのうちの１つであり、該ターゲットサービスは該第１端末装置と該第２端末装置との間に該伝送リソースで伝送されるサービスである。
【０１３１】
理解されるように、本願の実施例に係るネットワーク装置５００は本願の実施例におけるネットワーク装置３００に対応でき、且つ本願の実施例に係る方法１００を実行する対応の本体に対応でき、且つネットワーク装置５００における各ユニットの上記操作及び他の操作及び／又は機能はそれぞれ図１及び図２における各方法のネットワーク装置の対応するフローを実現するためのものであり、簡潔のために、ここで繰り返して説明しない。
【０１３２】
従って、本願の実施例のネットワーク装置は端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
【０１３３】
図６は本願の実施例に係る通信装置６００の模式的なブロック図を示し、図６に示すように、該通信装置６００はプロセッサ６１０及び送受信機６２０を備え、プロセッサ６１０は送受信機６２０に接続され、選択肢として、該通信装置６００はプロセッサ６１０に接続されるメモリ６３０を更に備える。プロセッサ６１０と、メモリ６３０と、送受信機６２０との間には内部接続通路によって互いに通信し、データ信号を伝送し及び／又は制御し、該メモリ６３０は命令を記憶することに用いられてもよく、該プロセッサ６１０は、該メモリ６３０に記憶される命令を実行することにより、送受信機６２０による情報又は信号の送信を制御することに用いられ、該プロセッサ６１０は、第１端末装置のＱｏＳ属性を指示するためのＱｏＳ属性情報を決定することに用いられ、該送受信機６２０はネットワーク装置に該ＱｏＳ属性情報を送信することに用いられ、該ＱｏＳ属性情報は該ネットワーク装置が該第１端末装置に伝送リソースを割り当てることに用いられ、該伝送リソースは該第１端末装置が第２端末装置にデータを送信することに用いられる。
【０１３４】
選択肢として、１つの実施例として、該ＱｏＳ属性は該第１端末装置のデータ伝送速度及び／又は信頼性要件を含む。
【０１３５】
選択肢として、１つの実施例として、該ＱｏＳ属性情報は該第１端末装置のデータ伝送速度及び／又はパケットロス率を含む。
【０１３６】
選択肢として、１つの実施例として、該ＱｏＳ属性情報は該第１端末装置の該ＱｏＳ属性に対応するターゲットインデックスを含む。
【０１３７】
選択肢として、１つの実施例として、該ＱｏＳ属性情報は最大値、最小値及び区間値のうちの少なくとも１つ、該最大値は該第１端末装置のデータ伝送速度及び／又は信頼性要件の最大値であり、該最小値は該第１端末装置のデータ伝送速度及び／又は信頼性要件の最小値であり、該区間値は該第１端末装置のデータ伝送速度及び／又は信頼性要件の値の範囲である。
【０１３８】
選択肢として、１つの実施例として、該ＱｏＳ属性情報は最大値、最小値及び区間値のうちの少なくとも１つを含み、該最大値はターゲットサービスのデータ伝送速度及び／又は信頼性要件の最大値であり、該最小値は該ターゲットサービスのデータ伝送速度及び／又は信頼性要件の最小値であり、該区間値は該ターゲットサービスのデータ伝送速度及び／又は信頼性要件の値の範囲であり、該ターゲットサービスは該第１端末装置と該第２端末装置との間に該伝送リソースで伝送されるサービスである。
【０１３９】
選択肢として、１つの実施例として、該送受信機６２０は、該ネットワーク装置に該ＱｏＳ属性情報を送信する前に、該ネットワーク装置から送信されたプリセット値を受信することに用いられ、該ＱｏＳ属性情報は該第１端末装置のデータ伝送速度及び／又は信頼性要件と該プリセット値との大きさ関係を指示することに用いられ、該大きさ関係は、該第１端末装置のデータ伝送速度及び／又は信頼性要件が該プリセット値より大きいこと、該第１端末装置のデータ伝送速度及び／又は信頼性要件が該プリセット値より小さいこと、該第１端末装置のデータ伝送速度及び／又は信頼性要件が該プリセット値以上であること、及び該第１端末装置のデータ伝送速度及び／又は信頼性要件が該プリセット値以下であることのうちの１つである。
【０１４０】
選択肢として、１つの実施例として、該送受信機６２０は、該ネットワーク装置に該ＱｏＳ属性情報を送信する前に、該ネットワーク装置から送信されたプリセット値を受信することに用いられ、該ＱｏＳ属性情報は該ターゲットサービスのデータ伝送速度及び／又は信頼性要件と該プリセット値との大きさ関係を指示することに用いられ、該大きさ関係は、該ターゲットサービスのデータ伝送速度及び／又は信頼性要件が該プリセット値より大きいこと、該ターゲットサービスのデータ伝送速度及び／又は信頼性要件が該プリセット値より小さいこと、該ターゲットサービスのデータ伝送速度及び／又は信頼性要件が該プリセット値以上であること、及び該ターゲットサービスのデータ伝送速度及び／又は信頼性要件が該プリセット値以下であることのうちの１つであり、該ターゲットサービスは該第１端末装置と該第２端末装置との間に該伝送リソースで伝送されるサービスである。
【０１４１】
選択肢として、１つの実施例として、該通信装置６００はコアネットワークのネットワーク要素又は該第１端末装置である。
【０１４２】
理解されるように、本願の実施例に係る通信装置６００は本願の実施例における通信装置４００に対応でき、且つ本願の実施例に係る方法２００を実行する対応の本体に対応でき、且つ通信装置６００における各ユニットの上記操作及び他の操作及び／又は機能はそれぞれ図１及び図２における各方法の第１端末装置又はコアネットワークのネットワーク要素の対応するフローを実現するためのものであり、簡潔のために、ここで繰り返して説明しない。
【０１４３】
従って、本願の実施例の通信装置は、ネットワーク装置に端末装置のＱｏＳ属性を含むＱｏＳ属性情報を送信することにより、ネットワーク装置は該端末装置のＱｏＳ属性を決定して、該ＱｏＳ属性に基づいて、該端末装置に伝送リソース、例えばキャリアリソースを割り当てることができ、それにより端末装置は該伝送リソースで他の端末装置にデータを送信し、リソースの利用率を高めることができる。
【０１４４】
なお、本願の上記方法の実施例はプロセッサに適用され、又はプロセッサで実現されることができる。プロセッサは信号の処理能力を有する集積回路チップであり得る。実現過程において、上記方法の実施例の各ステップはプロセッサにおけるハードウェアの集積論理回路又はソフトウェア形式の命令で完了してもよい。上記プロセッサは汎用プロセッサ、デジタル信号プロセッサ（ＤＳＰ、ｄｉｇｉｔａｌ  ｓｉｇｎａｌ  ｐｒｏｃｅｓｓｏｒ）、特定用途向け集積回路（ＡＳＩＣ、ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ、ｆｉｅｌｄ  ｐｒｏｇｒａｍｍａｂｌｅ  ｇａｔｅ  ａｒｒａｙ）又は他のプログラマブルロジックデバイス、個別ゲート又はトランジスタロジックデバイス、個別ハードウェアコンポーネントであってもよい。本願の実施例に開示される各方法、ステップ及びロジックブロック図を実現し又は実行することができる。汎用プロセッサはマイクロプロセッサであってもよく、又は該プロセッサはいかなる通常のプロセッサ等であってもよい。本願の実施例に開示される方法のステップについては、ハードウェアデコードプロセッサで実行して完了し、又はデコードプロセッサにおけるハードウェア及びソフトウェアモジュールの組み合わせで実行して完了すると直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを完了する。
【０１４５】
理解できるように、本願の実施例におけるメモリは揮発性メモリ又は不揮発性メモリであってもよく、又は、揮発性メモリ及び不揮発性メモリの両方を含んでもよい。不揮発性メモリは読み出し専用メモリ（ＲＯＭ、ｒｅａｄ−ｏｎｌｙ  ｍｅｍｏｒｙ）、プログラム可能読み出し専用メモリ（ＰＲＯＭ、ｐｒｏｇｒａｍｍａｂｌｅ  ｒｏｍ）、消去可能プログラム可能読み出し専用メモリ（ＥＰＲＯＭ、ｅｒａｓａｂｌｅ  ＰＲＯＭ）、電気的消去可能プログラム可能読み出し専用メモリ（ＥＥＰＲＯＭ、ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  ａｃｃｅｓｓ  ｍｅｍｏｒｙ）であってもよい。制限的ではなく、例示的な説明によって、多くの形式のＲＡＭ、例えばスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈｌｉｎｋ  ＤＲＡＭ）及びダイレクトラムバスランダムアクセスメモリ（ＤＲ  ＲＡＭ、ｄｉｒｅｃｔ  ｒａｍｂｕｓ  ＲＡＭ）は利用可能である。なお、本明細書に説明されるシステム及び方法のメモリはこれらのメモリ及び任意の他の適切なタイプのメモリを含んでもよいが、それらに限らないように意図される。
【０１４６】
理解されるように、本願の実施例では、「Ａに対応するＢ」はＢがＡに関連し、Ａに基づいてＢを決定できることを示す。しかしながら、更に理解されるように、Ａに基づいてＢを決定することは、Ａのみに基づいてＢを決定することを意味せず、Ａ及び／又は他の情報に基づいてＢを決定することもできる。
【０１４７】
本明細書における用語「及び／又は」は、関連オブジェクトの関連関係を説明するためのものに過ぎず、３つの関係が存在してもよいことを示し、例えば、Ａ及び／又はＢは、Ａが独立して存在すること、ＡとＢが同時に存在すること、Ｂが独立して存在することの３つの状況を示してもよい。また、本明細書における文字「／」は一般的に前後の関連オブジェクトが「又は」の関係であることを示す。
【０１４８】
当業者であれば意識できるように、本明細書に開示される実施例を参照して説明した各例示的なユニット及びアルゴリズムステップは、電子ハードウェア、又はコンピュータソフトウェアと電子ハードウェアとの組み合わせで実現されてもよい。これらの機能をハードウェア又はソフトウェア方式で実行するかは、技術案の特定応用及び設計制約条件によって決定される。当業者は各特定応用に対して異なる方法で説明される機能を実現することができるが、このような実現は本願の範囲を超えると見なされるべきではない。
【０１４９】
当業者であれば理解できるように、説明を便利で簡明にするために、上記説明されるシステム、装置及びユニットの具体的な動作過程については、上記方法の実施例における対応過程を参照してもよく、ここで繰り返して説明しない。
【０１５０】
本願に係るいくつかの実施例において、理解されるように、開示されるシステム、装置及び方法は他の方式で実現されてもよい。例えば、以上に説明される装置の実施例は模式的なものに過ぎず、例えば、前記ユニットの区別は論理機能上の区別に過ぎず、実際に実現する場合に他の区別方式を用いてもよく、例えば複数のユニット又はコンポーネントは他のシステムに結合又は統合されてもよく、又はいくつかの特徴は省略したり、実行しなかったりしてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１５１】
分離部材として説明される前記ユニットは物理的に分離してもよく、物理的に分離しなくてもよく、ユニットとして表示される部材は物理ユニットであってもよく、物理ユニットでなくてもよく、つまり、一箇所に位置してもよく、複数のネットワークユニットに配置されてもよい。実際の必要に応じて、その一部又は全部のユニットを選択して本実施例案の目的を実現してもよい。
【０１５２】
また、本願の各実施例において、各機能ユニットは１つの処理ユニットに統合されてもよく、各ユニットは独立して物理的に存在してもよく、２つ以上のユニットは１つのユニットに統合されてもよい。
【０１５３】
前記機能はソフトウェア機能ユニットの形式で実現され、且つ独立した製品として販売又は使用される場合、１つのコンピュータ可読記憶媒体に記憶されてもよい。このような理解に基づいて、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための複数の命令を含む１つの記憶媒体に記憶される。上記記憶媒体はＵＳＢメモリ、ポータブルハードディスク、ＲＯＭ、ＲＡＭ、磁気ディスク又は光ディスク等のプログラムコードを記憶できる様々な媒体を含む。
【０１５４】
以上では本願の具体的な実施形態に過ぎず、本願の保護範囲を制限するためのものではなく、当業者が本願に開示される技術的範囲内に容易に想到し得る変更又は置換は、いずれも本願の保護範囲内に含まれるべきである。従って、本願の保護範囲は特許請求の範囲に準じるべきである。
【図１】
2021501486.tif 000003
【図２】
2021501486.tif 000004
【図３】
2021501486.tif 000005
【図４】
2021501486.tif 000006
【図５】
2021501486.tif 000007
【図６】
2021501486.tif 000008
【手続補正書】
【提出日】令和2年8月31日(2020.8.31)
【手続補正１】
【補正対象書類名】特許請求の範囲
【補正対象項目名】全文
【補正方法】変更
【補正の内容】
【特許請求の範囲】
【請求項１】
第１端末装置のサービス品質（ＱｏＳ）属性を決定することと、
前記ＱｏＳ属性に基づいて、前記第１端末装置に伝送リソースを割り当て、前記伝送リソースは前記第１端末装置が第２端末装置にデータを送信することに用いられることと、を含むことを特徴とするリソース割り当て用の方法。
【請求項２】
前記ＱｏＳ属性は前記第１端末装置のデータ伝送速度及び／又は信頼性要件を含むことを特徴とする請求項１に記載の方法。
【請求項３】
前記第１端末装置のサービス品質（ＱｏＳ）属性を決定することは、
前記第１端末装置又はコアネットワークのネットワーク要素から送信されたＱｏＳ属性情報を受信することと、
前記ＱｏＳ属性情報に基づいて、前記第１端末装置の前記ＱｏＳ属性を決定することと、を含むことを特徴とする請求項１又は２に記載の方法。
【請求項４】
前記ＱｏＳ属性情報は前記第１端末装置のデータ伝送速度及び／又はパケットロス率を含むことを特徴とする請求項３に記載の方法。
【請求項５】
第１端末装置のサービス品質（ＱｏＳ）属性を指示するためのサービス品質（ＱｏＳ）属性情報を決定することと、
ネットワーク装置に前記ＱｏＳ属性情報を送信し、前記ＱｏＳ属性情報は前記ネットワーク装置が前記第１端末装置に伝送リソースを割り当てることに用いられ、前記伝送リソースは前記第１端末装置が第２端末装置にデータを送信することに用いられることと、を含むことを特徴とするリソース割り当て用の方法。
【請求項６】
前記ＱｏＳ属性は前記第１端末装置のデータ伝送速度及び／又は信頼性要件を含むことを特徴とする請求項５に記載の方法。
【請求項７】
前記ＱｏＳ属性情報は前記第１端末装置のデータ伝送速度及び／又はパケットロス率を含むことを特徴とする請求項６に記載の方法。
【請求項８】
前記ＱｏＳ属性情報は前記第１端末装置の前記ＱｏＳ属性に対応するターゲットインデックスを含むことを特徴とする請求項６に記載の方法。
【請求項９】
前記ＱｏＳ属性情報は最大値、最小値及び区間値のうちの少なくとも１つを含み、
前記最大値は前記第１端末装置のデータ伝送速度及び／又は信頼性要件の最大値であり、前記最小値は前記第１端末装置のデータ伝送速度及び／又は信頼性要件の最小値であり、前記区間値は前記第１端末装置のデータ伝送速度及び／又は信頼性要件の値の範囲であることを特徴とする請求項６に記載の方法。
【請求項１０】
前記ＱｏＳ属性情報は最大値、最小値及び区間値のうちの少なくとも１つを含み、
前記最大値はターゲットサービスのデータ伝送速度及び／又は信頼性要件の最大値であり、前記最小値は前記ターゲットサービスのデータ伝送速度及び／又は信頼性要件の最小値であり、前記区間値は前記ターゲットサービスのデータ伝送速度及び／又は信頼性要件の値の範囲であり、前記ターゲットサービスは前記第１端末装置と前記第２端末装置との間に前記伝送リソースで伝送されるサービスであることを特徴とする請求項６に記載の方法。
【請求項１１】
前記ネットワーク装置に前記ＱｏＳ属性情報を送信する前に、前記方法は更に、
前記ネットワーク装置から送信されたプリセット値を受信することを含み、
前記ＱｏＳ属性情報は前記第１端末装置のデータ伝送速度及び／又は信頼性要件と前記プリセット値との大きさ関係を指示することに用いられ、前記大きさ関係は、前記第１端末装置のデータ伝送速度及び／又は信頼性要件が前記プリセット値より大きいこと、前記第１端末装置のデータ伝送速度及び／又は信頼性要件が前記プリセット値より小さいこと、前記第１端末装置のデータ伝送速度及び／又は信頼性要件が前記プリセット値以上であること、及び前記第１端末装置のデータ伝送速度及び／又は信頼性要件が前記プリセット値以下であることのうちの１つであることを特徴とする請求項６に記載の方法。
【請求項１２】
前記ネットワーク装置に前記ＱｏＳ属性情報を送信する前に、前記方法は更に、
前記ネットワーク装置から送信されたプリセット値を受信することを含み、
前記ＱｏＳ属性情報は前記ターゲットサービスのデータ伝送速度及び／又は信頼性要件と前記プリセット値との大きさ関係を指示することに用いられ、前記大きさ関係は、前記ターゲットサービスのデータ伝送速度及び／又は信頼性要件が前記プリセット値より大きいこと、前記ターゲットサービスのデータ伝送速度及び／又は信頼性要件が前記プリセット値より小さいこと、前記ターゲットサービスのデータ伝送速度及び／又は信頼性要件が前記プリセット値以上であること、及び前記ターゲットサービスのデータ伝送速度及び／又は信頼性要件が前記プリセット値以下であることのうちの１つであり、前記ターゲットサービスは前記第１端末装置と前記第２端末装置との間に前記伝送リソースで伝送されるサービスであることを特徴とする請求項６に記載の方法。
【請求項１３】
前記方法はコアネットワークのネットワーク要素又は前記第１端末装置で実行されることを特徴とする請求項５〜１２のいずれか１項に記載の方法。
【請求項１４】
メモリと、受発信機と、プロセッサとを備え、前記メモリは命令を記憶することに用いられ、前記プロセッサは前記メモリに記憶される命令を実行することに用いられ、且つ前記プロセッサが前記メモリに記憶される命令を実行する時、前記実行により前記プロセッサは請求項１〜４のいずれか１項に記載の方法を実行することを特徴とするネットワーク装置。
【請求項１５】
メモリと、受発信機と、プロセッサとを備え、前記メモリは命令を記憶することに用いられ、前記プロセッサは前記メモリに記憶される命令を実行することに用いられ、且つ前記プロセッサが前記メモリに記憶される命令を実行する時、前記実行により前記プロセッサは請求項５〜１３のいずれか１項に記載の方法を実行することを特徴とする通信装置。
【国際調査報告】
2021501486.tif 000009
2021501486.tif 000010
2021501486.tif 000011
2021501486.tif 000012